(57)【要約】      （修正有）【課題】登山やハイキングの際、簡単な操作で手軽に、かつ的確に現在地点から目的地までの歩行時間等を確認することができる歩行時間早見盤を提供する。【解決手段】円盤状の基盤１０と、基盤１０よりも小径になる円盤状の小形盤２０と、基盤１０の中心と小形盤２０の中心とを貫通してこれらを回動自在にする連結具２とを具備する。基盤１０及び小形盤２０には等間隔に設けられた区画部１２、２２が形成され、かつ、基盤１０の区画部１２には距離数Ａと歩行時間とが記載されているとともに、小形盤２０の区画部２２には標高差Ｃが記載されている。また小形盤２０には、基盤１０に記載された歩行時間の一つを視認できる開口部２３が形成されている。【選択図】図１
0003156766.tif 000002
【実用新案登録請求の範囲】
【請求項１】
円盤状の基盤と、この基盤よりも小径になる円盤状の小形盤と、この基盤の中心と小形盤の中心とを貫通して基盤及び小形盤を回動自在にする連結具と、を具備する歩行時間早見盤であって、前記基盤及び前記小形盤には円周方向に沿って等間隔に設けられた区画部が形成され、かつ、基盤の区画部には距離数と歩行時間とが記載されているとともに、小形盤の区画部には標高差が記載されていることを特徴とする歩行時間早見盤。
【請求項２】
前記小形盤には、基盤の区画部に記載された歩行時間の一つを視認できる開口部が形成されている請求項１記載の歩行時間早見盤。
【請求項３】
前記基盤の距離数が記載された区画部は、基盤上に小形盤を同一中心で重ねて位置させた状態で、小形盤の周縁外側に形成されている請求項１又は２記載の歩行時間早見盤。
【請求項４】
前記小形盤の標高差が記載された区画部は、小形盤の周縁側に形成されている請求項１ないし３のうちいずれか１項に記載の歩行時間早見盤。
【請求項５】
前記基盤の歩行時間が記載された区画部は、基盤上に小形盤を同一中心で重ねて位置させた状態で、小形盤の開口部が開口している位置に形成されている請求項１ないし４のうちいずれか１項に記載の歩行時間早見盤。
【請求項６】
前記歩行時間早見盤は、平坦、もしくは傾斜面を歩行する際に使用される請求項１ないし５のうちいずれか１項に記載の歩行時間早見盤。
【考案の詳細な説明】
【技術分野】
【０００１】
本考案は、登山やハイキングの際、現在地点から目的地までの歩行時間等を容易に確認することができる歩行時間早見盤に関する。
【背景技術】
【０００２】
登山地図は、通常、登山やハイキングに行く場合、飲料水や必要備品とともに携帯される。かかる登山地図には登山ルートや目的地とともに等高線が記載されており、登山者やハイキングする者は、登山地図のこれらの情報により目的地までの距離数や歩行時間を算出し、それに基づいて到着時間や休憩場所等を計画する。また、現実の登山道の分岐点には、現在地点の表示や、現在地点から目的地までの距離などが記載された案内標識が立設されていることがあり、その案内標識の情報を参考に登山者やハイキングする者がその後の登山の計画をたてることもある。
【０００３】
しかしながら、登山地図や案内標識の情報により、登山者やハイキングする者が現在地点から目的地までの歩行時間を算出することは必ずしも容易ではなかった。特に、等高線が複雑に入れ込んだ山岳地帯では、現在地点から目的地までの間で登山道の傾斜角度が変化してしまうため、歩行時間を正確に算出することは非常に困難であった。
【０００４】
そのため、従来、登山ルートの出発地点Ｐｏから各地点Ｐｉまでの所要時間Ｔｉを過去の例に鑑みて予測し表示して、登山者に提供することにより、安全で楽しく登山ができる登山ルート所要時間表示方法がある（特許文献１参照）。
上掲特許文献１の登山ルート所要時間表示方法は、登山ルート上の地点Ｐｉに対応する高度ｈｉを記憶させておき、出発地点Ｐｏから地点Ｐｉまで所要時間Ｔｉを、地点Ｐｉの位置・高度データ（ｘｉ，ｙｉ，ｈｉ）をパラメータとして計算し、表示するものである。この登山ルート上の地点Ｐｉの位置・高度データ（ｘｉ，ｙｉ，ｈｉ）は、実際に踏破してＧＰＳ装置により取得したデータを用いることができると開示されている。
【先行技術文献】
【特許文献】
【０００５】
【特許文献１】特開２００３−２６９９７０号公報
【考案の概要】
【考案が解決しようとする課題】
【０００６】
しかしながら、上掲特許文献１の登山ルート所要時間表示方法においては、所要時間を表示するための算出方法が複雑になるとともに、この算出のために位置・高度データを実際に踏破してＧＰＳ装置により取得しなければならず、大掛かりな作業を要した。また、上掲特許文献１の登山ルート所要時間表示方法は、登山計画段階での登山シミュレーション、事前トレーニング等に活用できるが、実際の登山中においては、この登山ルート所要時間表示方法を実行するプログラムが記憶され、このプログラムを実行し、実行結果を表示し得るコンピュータを持参しなければ、所要時間のデータを登山者が視認することができないことから、簡便さや利便性の面で問題が生じていた。いずれにしても登山やハイキングの際、簡単な操作で手軽に、かつ的確に現在地点から目的地までの歩行時間等を確認することができる手段はなかった。
【０００７】
そこで本考案の目的は、上記問題点を解消し、登山やハイキングの際、簡単な操作で手軽に、かつ的確に現在地点から目的地までの歩行時間等を確認することができる歩行時間早見盤を提供することにある。
【課題を解決するための手段】
【０００８】
上記課題を解決するために、本考案は円盤状の基盤と、この基盤よりも小径になる円盤状の小形盤と、この基盤の中心と小形盤の中心とを貫通して基盤及び小形盤を回動自在にする連結具と、を具備する歩行時間早見盤であって、基盤及び小形盤には円周方向に沿って等間隔に設けられた区画部が形成され、かつ、基盤の区画部には距離数と歩行時間とが記載されているとともに、小形盤の区画部には標高差が記載されていることを特徴とする。
【０００９】
また小形盤には、基盤の区画部に記載された歩行時間の一つを視認できる開口部が形成されていることが好ましい。
【００１０】
また、基盤の距離数が記載された区画部は、基盤上に小形盤を同一中心で重ねて位置させた状態で、小形盤の周縁外側に形成されていることが好ましい。
【００１１】
また、小形盤の標高差が記載された区画部は、小形盤の周縁側に形成されていることが好ましい。
【００１２】
また、基盤の歩行時間が記載された区画部は、基盤上に小形盤を同一中心で重ねて位置させた状態で、小形盤の開口部が開口している位置に形成されていることが好ましい。
【００１３】
更に、歩行時間早見盤は、平坦、もしくは傾斜面を歩行する際に好適に使用される。
【考案の効果】
【００１４】
本考案によれば、基盤には距離数と歩行時間が、また小形盤には標高差が記載されており、小形盤又は基盤を相対的に回動させる操作をすることにより、現在地点から目的地までに要する歩行時間を容易に確認することができる。また距離数、歩行時間、標高差のうち２つがわかれば、残りの１つの情報を確認することができる。
【図面の簡単な説明】
【００１５】
【図１】本考案の歩行時間早見盤の全体の平面図である。
【図２】図１の歩行時間早見盤の矢視断面図である。
【図３】歩行時間早見盤の分解図である。
【図４】図１の歩行時間早見盤における使用状態の拡大図である。
【考案を実施するための形態】
【００１６】
以下、登山やハイキングの際、簡単な操作で手軽に、かつ的確に目的地までの歩行時間等を確認することができる本考案の歩行時間早見盤の実施の形態を、図１ないし図４に基づいて説明する。
【００１７】
図１に全体の平面図で示す歩行時間早見盤１は、薄い円盤状の基盤１０と、この基盤１０よりも小径の薄い円盤状であり、基盤１０と重ねて配設される小形盤２０とを有している。また、基盤１０と小形盤２０とは、図２に図１の断面図を示すように、各々の中心を貫通する連結具２により同心に配設され、かつ、互いに連結具２を中心に回動自在になっている。
【００１８】
図３（ａ）に示す小形盤２０は、例えば耐水性のある合成樹脂等で基盤１０よりも小さい円盤状に形成されており、一方の表面の中心部近傍に名称や説明等を記載する領域が形成されている。また小形盤２０の中央には、連結具２が挿入される孔２１が開孔されている。
【００１９】
この小形盤２０の外周と、この小形盤２０の表面で外周よりも小径に描かれた円と、小形盤２０の中心から同じ中心角で放射状に描かれた複数の線分により区画された扇状の区画部２２が複数形成されている。図３（ａ）に示した例では、全周が１８等分されて１８個の区画部が形成されている。これらの区画部２２には、標高差Ｃを示す数字がそれぞれ記載されている。これらの数字は、隣り合う標高差の数字の増分が同じ値になっており、図示した例では、０〜８５０ｍの標高差Ｃとして５０ｍ毎の数字、具体的には０ｍ、５０ｍ、１００ｍ、１５０ｍ、２００ｍ、２５０ｍ、３００ｍ、３５０ｍ、４００ｍ、４５０ｍ、５００ｍ、５５０ｍ、６００ｍ、６５０ｍ、７００ｍ、７５０ｍ、８００ｍ及び８５０ｍという、５０ｍ毎の数字の合計１８個の標高差Ｃが、反時計回りの順に９箇所の区画部２２に記載されている。
【００２０】
また、この小形盤２０の上記区画部２２近傍には、開口部２３が穿設されている。この開口部２３は、図３（ｂ）を用いて次に詳細に述べる基盤１０に記載された歩行時間Ｂを視認できるようにするための開口部２３が穿設されている。穿設された開口部２３により、連結具２を回転中心として小形盤２０を基盤１０に対して相対的に回動させたときに、基盤１０表面上に記載された歩行時間Ｂの一つをこの開口部２３を通して表示させることができる。
【００２１】
図３（ｂ）に示す基盤１０は、例えば耐水性のある合成樹脂等で円盤状に形成されており、中央には連結具２が挿入される孔１１が開孔されている。また基盤１０の一方の表面には、この基盤１０の外周と、小形盤２０の直径と同じ直径を有する円と、基盤１０の中心から同じ中心角で放射状に描かれた複数の線分により区画された扇状の区画部１２が複数形成されている。それぞれの区画部１２の中心角は、小形盤２０の区画部２２の中心角と同じであり、図３（ｂ）に示した例では、全周が１８等分されて１８個の区画部１２が形成されている。
【００２２】
これらの区画部１２に隣接して基盤１０の中心側に、小形盤２０の区画部２２と同じ大きさの区画部１４が形成されている。更に、これらの区画部１４に隣接して基盤１０の中心側に、区画部１４を形成する中心寄りの円と、この円よりも小径の円と、基盤１０の中心から同じ中心角で放射状に描かれた複数の線分により区画された扇状の区画部１３が複数形成されている。
【００２３】
図３（ｂ）に示した例では、区画部１２、１４及び１３は、基盤１０の円周を中心から放射状に延びる線分により１８等分に分割した状態で形成されており、区画部１２は基盤１０の周縁側に、また区画部１３は、空欄の区画部１４を介して基盤１０の中央側に形成されている。
【００２４】
区画部１２には、０〜９ｋｍの距離数Ａが９箇所の区画部分に記載されており、それぞれの区画部分には０．５ｋｍ毎の数字が配設されている。つまりこれらの数字は、隣り合う距離数の数字の増分が同じ値になっている。図示した例では０ｋｍ、０．５ｋｍ、１ｋｍ、１．５ｋｍ、２ｋｍ、２．５ｋｍ、３ｋｍ、３．５ｋｍ、４ｋｍ、４．５ｋｍ、５ｋｍ、５．５ｋｍ、６ｋｍ、６．５ｋｍ、７ｋｍ、７．５ｋｍ、８ｋｍ、８．５ｋｍ及び９ｋｍの距離数Ａが、時計まわりの順に記載されている。
【００２５】
また、区画部１３には、０〜２６３分の歩行時間Ｂが１８箇所の区画部分に記載されており、それぞれの区画部分には約８分毎の数字が配設されている。つまりこれらの数字は、隣り合う歩行時間の数字の増分が同じ値であり、小数点以下を四捨五入することにより増分が８分又は７分の値になっている。図示した例では０分、７．５分、１５分、２３分、３０分、３８分、４５分、５３分、６０分、６８分、７５分、８３分、９０分、９８分、１０５分、１１３分、１２０分、１２８分、１３５分、１４３分、１５０分、１５８分、１６５分、１７３分、１８０分、１８８分、１９５分、２０３分、２１０分、２１８分、２２５分、２３３分、２４０分、２４８分、２５５分及び２６３分の距離数Ａが、時計まわりの順に記載されている。
【００２６】
この区画部１２における距離数Ａと、区画１３における歩行時間Ｂとの関係は、基盤１０の半径方向の同一直線上にある距離数と歩行時間とが、登山時における距離数と歩行時間になるような関係である。例えば、図３（ｂ）の基盤１０では、区画部１２の距離数Ａが１ｋｍの場合、半径方向の同一直線上にある区画１３の歩行時間Ｂは１５分であり、つまり歩行速度が４ｋｍ／ｈになる関係である。このような関係は、例えば、実際に登山した際に要した複数の歩行時間の平均データにより算出することができる。もっとも、算出方法は、この方法に限定されない。また、区画部１２の距離数Ａと区画１３の歩行時間Ｂとの関係、つまり歩行速度は、図３（ｂ）に示したものに限定されない。特定の登山道の傾斜に応じて定められる関係とすることができるし、また登山者の体力に応じて定められる関係とすることもできる。
【００２７】
図３（ａ）の小形盤２０の区画２２に記載された標高差Ｃと、図３（ｂ）の基盤１０の区画１３に記載された区画１３に記載された歩行時間Ｂとの関係は、区画２２に記載された隣り合う標高差Ｃの数字の増分（図３（ａ）の例では、５０ｍ）の場合に実際の歩行で必要となる歩行時間の増加量が、区画１３に記載された隣り合う歩行時間Ｂの数値の増分（図３（ｂ）の例では、約７．５分）と一致している関係になっている。このような関係は、例えば、実際に登山した際に要した複数の歩行時間の平均データにより算出することができる。もっとも、算出方法は、この方法に限定されない。また、区画部２２の標高差Ｃと区画１３の歩行時間Ｂとの関係は、図３（ａ）、（ｂ）に示したものに限定されない。特定の登山道の傾斜に応じて定められる関係とすることができるし、また登山者の体力に応じて定められる関係とすることもできる。
【００２８】
これらの基盤１０及び小形盤２０を、同一中心で基盤１０上に重ねて小形盤２０を位置させたときに、基盤１０の区画１２に記載された距離数Ａが小形盤２０の周縁外側に形成されるように配設される。そのことにより、図１に示すように、小形盤２０の標高差Ｃが記載された区画２２の外方に隣接して基盤１０の距離数Ａが記載された区画１２が位置する状態になる。また、基盤１０に形成された開口部２３を通して、基盤１０の区画１３に記載された歩行時間Ｂが表示される状態になる。
【００２９】
そして、本考案の歩行時間早見盤１は、前述の構造により、平坦、もしくは傾斜面を歩行する際に使用される。特に、標高差のある山岳を登る際に使用することで、簡単な操作で手軽に、かつ的確に現在地点から目的地までの歩行時間等を確認することができる。
【００３０】
次に、本考案の歩行時間早見盤における使用方法の詳細を図４に基づき説明する。
【００３１】
図４においては、一例として距離数Ａが３ｋｍで、標高差Ｃが１５０ｍの山岳を登る際に要する歩行時間Ｂを確認する状態を示す。なお、標高差Ｃは登山用の地図に記載されている等高線により算出することができる。また歩行時間Ｂは、実際に登山した際に要した複数の歩行時間の平均データにより算出されている。
【００３２】
まず、現在地点から目的地までの距離数Ａが３ｋｍの場合、基盤１０に記載された３ｋｍの箇所を確認する。次に、現在地点から目的地までの標高差Ｃが１５０ｍの場合、小形盤２０を、連結具２を介して回動させ、基盤１０に記載された３ｋｍの位置と、１５０ｍの標高差Ｃが記載された位置とを合致させる。
【００３３】
小形盤２０を移動させ、目的地までの距離数Ａ（３ｋｍ）と目的地までの標高差Ｃ（１５０ｍ）とを合致させると、小形盤２０の穿設された開口部２３には、基盤１０に記載された歩行時間Ｂ（６８分）が表示される。このことにより、距離が３ｋｍで標高差が１５０ｍの場合、それに要する歩行時間Ｂは６８分ということが確認できる。
【００３４】
なお、現在地点から目的地までの距離数Ａと歩行時間Ｂが分かっている場合、小形盤２０を移動させて歩行時間Ｂを表示し、分かっている距離数Ａの記載位置に該当する標高差Ｃを確認する。
【００３５】
また、現在地点から目的地までの標高差Ｃと歩行時間Ｂが分かっている場合、小形盤２０を移動させて歩行時間Ｂを表示し、分かっている標高差Ｃの記載位置に該当する距離数Ａを確認する。
【００３６】
上述の構成により、小形盤２０を操作することにより、現在地点から目的地までに要する歩行時間を容易に確認することができる。また距離数Ａ、歩行時間Ｂ、標高差Ｃのうち２つがわかれば、残り１つの情報を確認することができる。
【符号の説明】
【００３７】
１  歩行時間早見盤
２  連結具
１０  基盤
１１  孔
１２  区画部
１３  区画部
１４  区画部
２０  小形盤
２１  孔
２２  区画部
２３  開口部
Ａ  距離
Ｂ  歩行時間
Ｃ  標高差
【図１】
0003156766.tif 000003
【図２】
0003156766.tif 000004
【図３】
0003156766.tif 000005
【図４】
0003156766.tif 000006